(57)【要約】【課題】ＰＳＰ容器の二次発泡を防止しながら、ラベル付きＰＳＰ容器の強度アップやＰＳＰ容器本体の薄肉化を実現する。【解決手段】ラベル付き容器１０は、ＰＳＰ容器２０と、該容器に装着された筒状シュリンクラベル３０とを備える。筒状シュリンクラベル３０は、ポリエステル系樹脂から構成され、ラベル装着過程でＰＳＰ容器２０との間に存在する空気を抜くための通気孔３４を有する。【選択図】図１
2014019492.tif 000002
【特許請求の範囲】
【請求項１】
発泡ポリスチレン系樹脂製の容器と、
前記容器に装着された筒状シュリンクラベルと、
を備えるラベル付き容器において、
前記筒状シュリンクラベルは、
ポリエステル系樹脂から構成され、
ラベル装着過程で前記容器との間に存在する空気を抜くための通気孔を有することを特徴とするラベル付き容器。
【請求項２】
請求項１に記載のラベル付き容器において、
前記筒状シュリンクラベルは、ラベル上縁に位置する内面上に、周方向に沿って感熱接着部を有することを特徴とするラベル付き容器。
【発明の詳細な説明】
【技術分野】
【０００１】
本発明は、ラベル付き容器に関する。
【背景技術】
【０００２】
発泡ポリスチレン系樹脂製の容器（以下、「ＰＳＰ容器」という）は、インスタント食品などの容器として広く使用されており、ＰＳＰ容器にオレフィン系樹脂製シュリンクラベルを巻き付けたラベル付きＰＳＰ容器が提案されている（例えば、特許文献１参照）。当該ラベル付き容器によれば、防湿性に優れ、しかも熱収縮性ラベルを温和な条件で緊密に装着可能なラベル付きＰＳＰ容器を提供することが可能である。
【先行技術文献】
【特許文献】
【０００３】
【特許文献１】特許第４４６７７３９号公報
【発明の概要】
【発明が解決しようとする課題】
【０００４】
ところで、昨今、環境負荷の低減を目的としてＰＳＰ容器本体の薄肉化を図ることが求められている。そこで、食品用容器として使用可能な強度を実現するために、特許文献１のラベル付き容器で用いられているような剛性の低いオレフィン系樹脂製シュリンクラベルに変えて、より剛性の高い、例えばポリエステル系樹脂製のシュリンクラベルを用いることが考えられる。しかし、特許文献１に記載のように、ポリエステル系樹脂製のシュリンクラベルのような剛性の高いラベルは、熱収縮開始温度が高いため、ラベル装着時の熱によりＰＳＰ容器が二次発泡して変形するおそれがある。
【課題を解決するための手段】
【０００５】
本発明に係るラベル付き容器は、発泡ポリスチレン系樹脂製の容器と、前記容器に装着された筒状シュリンクラベルとを備えるラベル付き容器において、前記筒状シュリンクラベルは、ポリエステル系樹脂から構成され、ラベル装着過程で前記容器との間に存在する空気を抜くための通気孔を有することを特徴とする。
【０００６】
上記構成によれば、通常、ポリエステル系樹脂から構成されるシュリンクラベルを容器に装着する際には高温での熱処理が必要となるが、通気孔を設けたことによってＰＳＰ容器が二次発泡しない温度での熱処理を可能とし、容器形状に追従して見栄え良くラベルが装着されたポリエステル系樹脂製ラベル付きＰＳＰ容器を提供することができる。また、剛性の高いポリエステル系樹脂から構成されるシュリンクラベルがＰＳＰ容器に密着して装着されることにより、ＰＳＰ容器本体の薄肉化を実現しつつ、ラベル付きＰＳＰ容器の強度をアップさせることができ、熱湯の影響等による容器の撓みを十分に軽減して食品用容器として使用することが可能な、環境負荷を低減したラベル付きＰＳＰ容器を提供できる。
【０００７】
また、前記筒状シュリンクラベルは、ラベル上縁に位置する内面上に、周方向に沿って感熱接着部を有することが好適である。
当該構成によれば、筒状シュリンクラベルが軸方向に対して過度に熱収縮することで目的とする装着位置からずれる、所謂縦引けを防止することができる。
【発明の効果】
【０００８】
本発明のラベル付き容器によれば、ＰＳＰ容器の二次発泡を防止しながら、ラベル付きＰＳＰ容器の強度アップやＰＳＰ容器本体の薄肉化を実現することができる。
【図面の簡単な説明】
【０００９】
【図１】本発明の実施形態の一例であるラベル付き容器の正面図である。
【図２】本発明の実施形態の一例であるラベル付き容器を構成する筒状シュリンクラベルを示す図である。
【図３】本発明の実施形態の一例であるラベル付き容器の製造過程を示す図である。
【図４】本発明の実施形態の一例であるラベル付き容器の製造過程を示す図である。
【図５】図１に例示するラベル付き容器の変形例を示す図である。
【図６】図１に例示するラベル付き容器の変形例を示す図である。
【図７】図１に例示するラベル付き容器の変形例を示す図である。
【発明を実施するための形態】
【００１０】
以下、図面を用いて、本発明の実施形態について詳細に説明する。
なお、実施形態において参照する図面は、模式的に記載されたものであり、図面に描画された構成要素の寸法等は、現物と異なる場合がある。具体的な寸法等は、以下の説明を参酌して判断されるべきである。
【００１１】
実施形態では、インスタント食品（例えば、インスタント麺）が充填されて熱湯が注ぎ込まれる発泡ポリスチレン系樹脂製の容器２０（以下、「ＰＳＰ容器２０」とする）を例示するが、ＰＳＰ容器はこれに限定されない。
【００１２】
図１に、本発明の実施形態の一例であるラベル付き容器１０を示す。
ラベル付き容器１０は、ＰＳＰ容器２０と、ＰＳＰ容器２０に装着された筒状シュリンクラベル３０とを備える。ラベル付き容器１０において、筒状シュリンクラベル３０は、ＰＳＰ容器２０に商品名や各種デザイン等を付与すると共に、ＰＳＰ容器２０を補強する機能を有する。
【００１３】
ＰＳＰ容器２０は、ポリスチレン系樹脂を発泡させて製造した容器であって、軽量でクッション性があり、熱を伝えにくいという特徴を有する。ＰＳＰ容器２０は、例えば、空隙率が８０％以上であり、一般的に白色である。ＰＳＰ容器２０には、製造コスト削減等の観点から、商品名等の印刷を設けないことが好適である。
【００１４】
ＰＳＰ容器２０は、カップ状に成形された有底筒状の容器であって、側面部２１が底面部２２に近づくにつれて縮径したテーパ形状を有している。なお、容器上端の開口から熱湯を容器内部に注ぎ入れたり、内容物を取り出したりすることができる。ＰＳＰ容器２０には、容器上端に径外方向に張り出した環状の鍔部２３が形成されており、開口を塞ぐシール蓋（図示せず）が鍔部２３に貼り付けられる。また、側面部２１の上部には、側面部２１の全周に亘って環状の凹部２４が形成されている。そして、凹部２４の下方には、側面部２１の全周に亘って環状の凸部２５が形成されている。
【００１５】
筒状シュリンクラベル３０は、凹部２４及び凸部２５を含む側面部２１の略全体を覆って装着されている。より詳しくは、鍔部２３の直ぐ下から底面部２２の周縁に亘って装着されている。筒状シュリンクラベル３０は、ＰＳＰ容器２０の形状に追従して装着されており、凹部２４及び凸部２５にもぴったりと追従している。
【００１６】
図２に、ＰＳＰ容器２０に装着される前の筒状シュリンクラベル３０を示す。
筒状シュリンクラベル３０は、ＰＳＰ容器２０に外嵌されて熱収縮する前は軸方向（上下方向）に沿って一定の直径を有する。かかる直径は、筒状シュリンクラベル３０が装着される部分のＰＳＰ容器２０の直径よりもやや大き目に設定される。
【００１７】
筒状シュリンクラベル３０は、ポリエステル系樹脂を主成分とする熱収縮性フィルムから構成されるラベル基材３１を有する。ここで、主成分とは、熱収縮性フィルムを構成する樹脂のうち５０重量％超過がポリエステル系樹脂であることを意味し、本発明の目的を損なわない範囲で他の樹脂が使用されてもよい。ポリエステル系樹脂の割合は、好ましくは８０重量％以上であり、より好ましくは９０重量％以上である。筒状シュリンクラベル３０は、ラベル基材３１を筒状に丸めて、その端縁部同士を重ね合わせて接合することにより筒状体とされる。このとき、筒状体の上下方向に沿ったセンターシール部３２が形成される。
【００１８】
ラベル基材３１上には、商品名や原材料、使用上の注意、各種デザイン等を表示する印刷層（図示せず）を形成することができる。印刷層は、ラベル基材３１の筒状体の内側に向いた面（以下、「内面」という）に形成することが好適である。また、ラベル基材３１の内面には、感熱接着部３３が形成されている。ラベル基材３１上には、印刷層及び感熱接着部３３の他にも、アンカーコート層や印刷層の保護層などが形成されていてもよい。
【００１９】
上記熱収縮性フィルムは、ポリエステル系樹脂を主成分とする。ポリエステル系樹脂としては、ポリエチレンテレフタレート（ＰＥＴ）やポリ乳酸（ＰＬＡ）を例示できるが、ＰＥＴを用いることが好適である。ラベル基材３１は、好ましくはＰＥＴフィルムの単層構造であるが、本発明の目的を損なわない範囲で他の樹脂フィルム（例えば、ポリオレフィン系樹脂フィルムやポリスチレン系樹脂フィルム）との複層構造としてもよい。熱収縮性フィルムは、例えば、一軸延伸又は二軸延伸されており、主延伸方向の熱収縮率が、２０〜９０％（９０℃の温水に１０秒間浸漬）であることが好ましい。筒状シュリンクラベル３０では、ラベル基材３１の主収縮方向が筒状体の周方向となる。
【００２０】
印刷層は、例えば、ラベル基材３１の内面のセンターシール部３２以外の領域に形成される。印刷層は、印刷インキを所望のパターンでラベル基材３１上に塗布し、塗布したインキを乾燥固化することで形成される。印刷層は、例えば、グラビア印刷、フレキソ印刷、又は凸版輪転印刷等の印刷法により形成することができる。
【００２１】
感熱接着部３３は、筒状シュリンクラベル３０をＰＳＰ容器２０に接着する機能を有する。感熱接着部３３は、ラベル上縁に位置するラベル基材３１の内面上に感熱接着剤を塗工することで形成され、印刷層と同様にグラビア印刷等を用いて形成できる。感熱接着剤は、常温では接着性を持たず、加熱すると接着性を発現する特性を有する。
【００２２】
感熱接着剤の具体例としては、ホットメルト型接着剤やディレードタック型接着剤が挙げられる。ホットメルト型接着剤は、加熱し活性化した後、冷却固化によって接着させる接着剤であり、エチレン酢酸ビニル共重合体（ＥＶＡ）等をベースとし、粘着付与剤、ワックス等を配合して構成される。ディレードタック型接着剤は、エチレン系やアクリル系樹脂に結晶性の固体可塑剤と粘着付与剤を加えて構成され、加熱することで固体可塑剤が溶融して数時間から数日間粘着性が持続するものである。
【００２３】
感熱接着部３３は、筒状シュリンクラベル３０の周方向に沿って形成されている。感熱接着部３３は、ラベルの熱収縮により皺等が発生することを防止するため、周方向に間隔をあけて形成されることが好ましく、図示するように、千鳥状に形成されることが特に好ましい。千鳥状のパターンは、互いに間隔をあけて周方向に並んで形成された複数の感熱接着部３３の列を２つ形成し、上段と下段とで感熱接着部３３を互いにずれて配置することにより形成される。また、感熱接着部３３は、ブロッキング防止の観点から、筒状シュリンクラベル３０を偏平状に折り畳んだ状態で感熱接着部３３同士が互いに重ならないように、周方向に沿って偶数箇所に形成されることが好適である。
【００２４】
筒状シュリンクラベル３０は、ラベル装着過程でＰＳＰ容器２０との間に存在する空気を抜くための通気孔３４を有する。ラベル装着過程では、ラベルと凹部２４との間において空気が残り易いため、少なくとも凹部２４に対応する部分に通気孔３４を形成しておくことが好適である。本実施形態では、ラベル上縁から凹部２４に対応する部分を通りラベル下縁に亘って複数の通気孔３４が形成されている。
【００２５】
複数の通気孔３４は、互いに間隔をあけて１列に並んで形成されている。この列は、センターシール部３２と略平行に上下方向に沿って形成されており、ラベル付き容器１０の廃棄時に筒状シュリンクラベル３０を破断してＰＳＰ容器２０から分別するためのミシン目線として利用することができる。
【００２６】
通気孔３４の列を分別用のミシン目線として利用する場合、ラベル装着過程での空気の抜け性に加えてラベルの破断性の観点も考慮して通気孔３４のサイズや間隔、個数等が決定される。また、筒状シュリンクラベル３０の意匠性も考慮する必要がある。通気孔３４のサイズ、間隔の好適な例としては、孔の直径が０．５〜１ｍｍ、間隔が１〜５ｍｍである。通気孔３４の形状は、特に限定されないが、円形又は楕円形が好適である。
【００２７】
図３及び図４に、ラベル付き容器１０の製造過程を示す。
図３は、筒状シュリンクラベル３０をＰＳＰ容器２０に外嵌した様子を示し、図４は、筒状シュリンクラベル３０の凹部２４に対応する部分が熱収縮する様子を示す。
【００２８】
ラベル付き容器１０の製造工程では、まず、長尺状の熱収縮性フィルムから筒状シュリンクラベル３０が製造される。筒状シュリンクラベル３０には、上記のように、印刷層や感熱接着部３３が形成される。また、筒状シュリンクラベル３０には、通気孔３４が形成される。通気孔３４は、例えば、印刷層等が形成された長尺状の熱収縮性フィルムを刃物で打ち抜いて、或いはレーザーを照射して形成することができる。
【００２９】
得られた筒状シュリンクラベル３０はＰＳＰ容器２０の側面部２１を覆うように外嵌される。具体的には、ＰＳＰ容器２０の底面部２２を鉛直上方に向けて、筒状シュリンクラベル３０を嵌挿する。このとき、筒状シュリンクラベル３０が底面部２２の位置を超えて上方に延出した状態とする。この状態で熱処理して筒状シュリンクラベル３０を熱収縮させることにより、ラベルが内側に折れ曲がり底面部２２の周縁を被覆した装着形態が得られる。
【００３０】
筒状シュリンクラベル３０に熱風等を吹き付けて熱処理すると、ラベルが容器形状に追従するように熱収縮し、また感熱接着部３３の接着力が発現してラベル上縁がＰＳＰ容器２０の上部に接着される。これにより、ラベルが下方に引ける所謂縦引けが防止される。筒状シュリンクラベル３０の熱収縮が進むと、ラベルが凸部２５等の側面部２１に密着する（図４（ａ）参照）。この状態では、ラベルと凹部２４との間に隙間があり、その隙間に空気が閉じ込められている。そして、さらに熱収縮が進むと、閉じ込められていた空気が通気孔３４から抜けて、筒状シュリンクラベル３０が凹部２４の形状に追従した装着形態が得られる（図４（ｂ）参照）。
【００３１】
上記製造方法によれば、通気孔３４の機能により、空気溜まりや皺が発生することなく筒状シュリンクラベル３０がＰＳＰ容器２０の形状に追従して見栄え良く装着されたラベル付き容器１０が得られる。通常、ポリエステル系樹脂から構成されるシュリンクラベルを容器に装着する際には高温での熱処理が必要となるが、通気孔３４を設けたことによってＰＳＰ容器２０が二次発泡しない温度での熱処理を可能とし、容器形状に追従して見栄え良くラベルが装着されたラベル付き容器１０（ポリエステル系樹脂製ラベル付きＰＳＰ容器）を得ることができる。
【００３２】
また、ポリエステル系樹脂から構成される筒状シュリンクラベル３０は、例えば、オレフィン系樹脂から構成されるラベルよりも剛性が高い。このため、ＰＳＰ容器２０に密着してポリエステル系樹脂製シュリンクラベルが装着されることで、シュリンクラベル自体がＰＳＰ容器２０の周囲から形状保持することができる。従って、ＰＳＰ容器２０の薄肉化を実現しつつ、ラベル付き容器１０（ラベル付きＰＳＰ容器）の強度をさらにアップさせることができ、熱湯の影響等による容器の撓みを大幅に軽減することが可能となる。
【００３３】
また、オレフィン系樹脂から構成されるラベルでは、感熱接着部３３を設けた場合にブロッキングするおそれがあるが、ポリエステル系樹脂から構成される筒状シュリンクラベル３０によれば、ブロッキングの心配がなく安定に保管することができる。
【００３４】
なお、上記実施形態は、本発明の目的を損なわない範囲で設計変更することができる。図５及び図６に、設計変更の一例を示す。以下では、上記実施形態と同じ構成要素には同一の符号を付する。
【００３５】
上記では、筒状シュリンクラベル３０の上下方向に沿って複数の通気孔３４が１列に並んだ形態を示したが、図５に示すように、通気孔の列は複数形成されていてもよい。図５に例示するラベル付き容器４０では、センターシール部３２を挟んで通気孔３４の列と通気孔４２の列とが形成されている。この２つの列は、二条のミシン目線として機能し、例えば、センターシール部３２の上端を摘んで下方に引っ張ることで筒状シュリンクラベル４１を破断することができる。
【００３６】
また、ラベル付き容器４０では、筒状シュリンクラベル４１の凹部２４に対応する部分に沿って、即ち周方向に沿って並んだ複数の通気孔４３が形成されている。通気孔４３は、専ら空気抜き孔として機能するため、空気の抜け性のみを考慮して孔のサイズや間隔、個数等を設定することができる。通気孔４３を設けることにより、凹部２４に対するラベルの装着性がさらに向上する。
【００３７】
図６に例示するラベル付き容器５０では、通気孔４３に加えて、凸部２５の直ぐ下に対応する部分に沿って並んだ複数の通気孔５２が形成されている。凸部２５の直ぐ下に対応する部分は、凹部２４と同様に空気が溜まり易いため、当該部分に通気孔５２を設けることにより、凹部２４及び凸部２５の周囲におけるラベルの装着性をさらに向上させることができる。また、筒状シュリンクラベル５１には、上下方向に沿って形成される通気孔３４，４２が設けられていない。
【００３８】
また、上記では、側面部２１の上部に凹部２４及び凸部２５が１つずつ形成されたＰＳＰ容器２０を例示したが、ＰＳＰ容器の形状はこれに限定されない。例えば、凹凸の位置や寸法、個数、形状等はこれに限定されず、図７に示すように、周方向に沿って環状に段部６４が形成されたＰＳＰ容器６１であってもよい。ＰＳＰ容器６１は、感熱接着部３３により筒状シュリンクラベル６５が接着される部分の直径が大きく、当該部分の直ぐ下が縮径して段部６４が形成されている。側面部６２は、段部６４から底面部６３にかけて凹凸を有さず、緩やかに縮径したテーパ形状を呈する。なお、ラベル付き容器６０の筒状シュリンクラベル６５には、センターシール部３２を挟んで通気孔３４の列と通気孔４２の列とが形成されており、通気孔３４，４２は段部６４を覆う部分にも形成される。
なお、本発明の構成は、凹部２４、凸部２５、及び段部６４等の少なくとも１つの凹凸が形成された異形のＰＳＰ容器に好適であるが、側面部に凹凸を有さないＰＳＰ容器にも適用することができる。
【符号の説明】
【００３９】
１０，４０，５０，６０  ラベル付き容器、２０，６１  ＰＳＰ容器、２１，６２  側面部、２２，６３  底面部、２３  鍔部、２４  凹部、２５  凸部、３０，４１，５１，６５  筒状シュリンクラベル、３１  ラベル基材、３２  センターシール部、３３  感熱接着部、３４，４２，４３，５２  通気孔、６４  段部。
【図１】
2014019492.tif 000003
【図２】
2014019492.tif 000004
【図３】
2014019492.tif 000005
【図４】
2014019492.tif 000006
【図５】
2014019492.tif 000007
【図６】
2014019492.tif 000008
【図７】
2014019492.tif 000009